(57)【要約】【課題】　他の計算機の情報の処理を容易にする。【解決手段】　運転状態選択手段４は、発電ユニット毎に通常運転中若しくは試験調整中かの運転状態を記憶する運転状態記憶テーブル５へ対話手段付表示装置３を介して運転状態を適宜設定する。伝送データスキャン手段１１は、運転状態記憶テーブル５に記憶される運転状態とプラントデータテーブル６に保存されるプラント情報とから通常運転中のプラント情報と試験調整中のプラント情報とを識別した識別伝送データを作成して、送信手段１２から他の計算機へ送信して、他の計算機の処理負担を軽減する。【選択図】　　　　　図２
2004080997.tif 000002
【特許請求の範囲】
【請求項１】
　複数台の発電ユニットを制御する計算機に接続されプラント情報を表示するとともに、対話処理を行う対話手段付表示装置を備えた発電プラント監視制御装置において、
　前記発電ユニット毎に通常運転中または試験調整中で出力要もしくは試験調整中で出力不要のうちいずれかの運転状態を記憶する運転状態記憶テーブルと、
　この運転状態記憶テーブルへ前記対話手段付表示装置を介して前記運転状態を適宜設定する運転状態選択手段と、
　前記発電プラントからプラント情報を取り込みプラントデータテーブルへ更新保存するデータスキャン手段と、
　音声出力要求があると前記運転状態記憶テーブルに記憶される運転状態を参照して前記試験調整中の場合を除外して前記プラントデータテーブルに保存されるプラント情報と音声インデックステーブルとを参照して音声検索情報を抽出する音声インデックス検索手段と、
　この音声インデックス検索手段により抽出される音声検索情報により音片テーブルに保存された音片情報を取り出して合成し、音声情報を音声出力装置へ出力する音声合成手段を備え、
　前記通常運転中の音声出力要求か試験調整中の音声出力要求かを区別して出力不要な試験調整中の音声情報を除外して出力するようにしたことを特徴とする発電プラント監視制御装置。
【請求項２】
　複数台の発電ユニットを制御する計算機に接続されプラント情報を表示するとともに、対話処理を行う対話手段付表示装置を備えた発電プラント監視制御装置において、
　前記発電ユニット毎に通常運転中または試験調整中で出力要もしくは試験調整中で出力不要のうちいずれかの運転状態を記憶する運転状態記憶テーブルと、
　この運転状態記憶テーブルへ前記対話手段付表示装置を介して前記運転状態を適宜設定する運転状態選択手段と、
　前記発電プラントからプラント情報を取り込みプラントデータテーブルへ更新保存するデータスキャン手段と、
　前記運転状態記憶テーブルに記憶される運転状態に応じて前記プラントデータテーブルに保存されるプラント情報を通常運転中もしくは試験調整中かを区別して不要なプラント情報の出力を除外してトリップシーケンスデータテーブルへ保存するとともに、トリガを判定するトリップシーケンス判定手段へ出力するトリップシーケンス収集手段と、
　前記採りプシーケンス判定手段によってトリガを判定したとき前記トリップシーケンスデータテーブルから対応するプラント情報を取り出し外部へ出力するトリップシーケンス出力手段を備えたこと特徴とする発電プラント監視制御装置。
【請求項３】
　複数台の発電ユニットを制御する計算機に接続されプラント情報を表示するとともに、対話処理を行う対話手段付表示装置を備えた発電プラント監視制御装置において、
　前記発電ユニット毎に通常運転中または試験調整中で出力要もしくは試験調整中で出力不要のうちいずれかの運転状態を記憶する運転状態記憶テーブルと、
　この運転状態記憶テーブルへ前記対話手段付表示装置を介して前記運転状態を適宜設定する運転状態選択手段と、
　前記発電プラントからプラント情報を取り込みプラントデータテーブルへ更新保存するデータスキャン手段と、
　前記運転状態記憶テーブルに記憶される運転状態と前記プラントデータテーブルに保存されるプラント情報、および、音声インデックステーブルに保存される音声情報に基づき、音声出力要求を受けて、試験調整中で出力不要の運転状態に対応する音声情報を除いた音声情報を出力する音声情報出力手段と、
　前記運転状態記憶テーブルに記憶される運転状態と前記プラントデータテーブルに保存されるプラント情報を監視し、トリップシーケンスの発生を検出したときに、試験調整中で出力不要の運転状態に対応するプラント情報を除外したプラント情報をトリップシーケンスデータとして出力するトリップデータ出力手段を備え、
　前記音声情報出力手段による音声情報出力機能と前記トリップデータ出力手段によるトリップシーケンスデータ出力機能の除外または復帰を前記対話手段付表示装置によって前記運転状態記憶テーブルに設定するようにしたことを特徴とする発電プラント監視制御装置。
【請求項４】
　各発電ユニットに対して、前記音声情報出力機能、前記トリップシーケンスデータ出力機能と、少なくともこの２機能を一括する全機能とを対応づけて前記対話手段付表示装置へ表示選択スイッチを表示させ、前記表示選択スイッチへ機能の除外または復帰を前記運転状態記憶テーブルの内容に応じて表示させ、表示された表示選択スイッチの各スイッチを選択して押す毎に除外と復帰を反転して選択表示させる表示出力手段をさらに備え、
　かつ、前記運転状態選択手段により前記表示選択スイッチによる選択表示状態を前記運転状態記憶テーブルへ記憶させるようにしたことを特徴とする請求項３記載の発電プラント監視制御装置。
【発明の詳細な説明】
【技術分野】
【０００１】
　本発明は、複数台の発電ユニットを制御する計算機に接続されプラント情報を表示するとともに、対話処理を行う対話手段付表示装置を備えた発電プラント監視制御装置に関する。
【背景技術】
【０００２】
　発電プラントとして、複数台の発電ユニットを１つの発電プラント（例えば、複合発電プラント）として系統運用するものが知られている。この発電プラントを運転する中央操作室は、少人数の運転員で複数台の発電ユニットを監視制御できるようになっている。
【０００３】
　このような発電プラントにおいて、各発電ユニットは１つ１つで独立して順次建設され、試運転がされると共に、年間を通じて定例の発電ユニットの定検が頻繁に行われ、定検時の試運転にも建設時と同様に、他の発電ユニットが通常運転時に行われる。従って、通常運転を行っている運転員や試験調整を担当する試験員にプラント情報を提供する場合は、ハード定検、ソフト定検、試運転等それぞれの定検に応じた情報と、通常運転の情報を区別できるように提供する必要がある。また、これらの情報を区別けすることにより、運転員には通常運転の情報を、また、試験調整を担当する試験員には、建設時試運転調整または定検時試運転調整（以下、定検と称する）に応じた情報を提供する必要がある。以下、この複数の発電ユニットの一つを軸と称する。
【０００４】
　従来技術による定検中に軸の情報を表示装置に出力することを抑止することにより通常運転中の軸の情報と、定検中の軸の情報を区別する方法は知られている。図２４は、従来技術を図示したものである。
【０００５】
　図において、発電プラント監視制御装置は、ｎ台の複合発電ユニット１に対して制御用計算機２を接続し、さらに、対話手段付表示装置３を接続して構成している。制御用計算機２は、運転状態選択手段４と運転状態記憶テーブル５とプラントデータテーブル６とデータスキャン手段７とプラント制御手段８と表示出力手段からなっている。
【０００６】
　運転状態選択手段４は、複合発電ユニット１毎に対話手段付表示装置３からの設定信号Ｃによって運転状態、すなわち、（イ）通常運転中（０１）、（ロ）試験調整中を含む定検中出力必要（１０）、（ハ）試験調整中を含む定検中出力不要（００）が設定され、運転状態記憶テーブル５へ記憶される。
【０００７】
　データスキャン手段７では、各複合発電ユニット１からの入力を周期的に取込みプラントデータテーブル６へ記憶し更新する。プラント制御手段８では、各複合発電ユニット１へ制御信号を出力して制御する。表示出力手段では、プラントデータテーブル６のデータやプラント制御手段８のデータを対話手段付表示装置３との対話処理により対話手段付表示装置３へ表示するとき、運転状態記憶テーブル５の内容を参照して表示する。
【０００８】
　具体的には、（イ）通常運転中（０１）と（ロ）定検中出力必要（１０）とが表示出力手段９により両者を識別してデータが対話手段付表示装置３へ出力される。これによって、対話手段付表示装置３上でデータが通常運転中が定検中かの区別がされ、オペレータは、通常運転中のデータか定検中のデータかを把握することができる。また、（ロ）定検中出力不要（００）のデータは、対話手段付表示装置３上へ出力されず、不要データの出力が阻止され、オペレータへの負担を軽減している。
【特許文献１】特開昭６１−２２４８３２号公報
【発明の開示】
【発明が解決しようとする課題】
【０００９】
　従来の発電プラント監視制御装置において、図２４に示すように従来技術により発電ユニットの試験調整中の情報と他の通常運転中の情報とを選択して表示出力することが可能であるが、近年の技術動向により、下記のような種々要望がある。
【００１０】
　まず、近年、同発電所内の他のユニットからのデータや所内の共通設備用のデータを一括管理するための計算機の導入や、統括部門において他の発電所間のデータを管理する計算機の導入により、１プラントの制御用計算機内でのデータ処理だけでなく、他計算機と多量のデータをやり取りする必要がある。複合発電プラントにおいて、通常運転軸と定検中の軸は混在する場合があり、そのとき、複合発電プラントの制御用計算機から出力されるデータは、定検時のデータと通常運転時のデータが混在することになる。定検中の場合、センサ試験等により、データが明らかに不良となる場合があり、このため、他の計算機にデータを出力する場合、定検中のデータに何らかの加工を加え、他の計算機の処理に影響をおよぼさないようにする必要がある。また、従来は他の計算機で定検軸のデータに再設定が必要であり、これを入力する手間を省力化する必要がある。
【００１１】
　また、センサ試験等によりデータが不良となる場合がある。その場合、各軸の合計値、平均、最大値といった加工データが不良となり、ログデータが適切に出力出来なくなる。よって、定検中のデータに何らかの加工を加え全軸分のデータからの加工データが阻害されないようにする必要がある。
【００１２】
　また、プラント操作端からの出力は、一般に、中央操作室や現場の人に予告のため音声出力するのが通例である。自動化運転試験やＣＲＴオペレーション試験等のプラント操作端の出力の試験中は、自動化の完了メッセージやＣＲＴオペレーションの操作メッセージなど大量の音声出力要求がかかる場合がある。このため、音声通報の処理上メッセージがたまることになり、通常に運転している軸の重要な音声通知に遅れが発生する恐れがある。このため、定検中の試験操作で発生する音声を通常運転中の操作で発生する音声と区別し出力を抑止する必要がある。
【００１３】
　また、近年、計算機の機能高度化および監視項目の増加により収集データが増加している。定検中は、プラント等の模擬操作により、不要なトリップシーケンスが出力される場合がある。また、トリップシーケンスの出力を含む種々のプログラムの調整により計算機の負荷が上昇し、通常運転中の軸について緊急時の監視操作に影響を与えることもある。また、不良データにより不要な印字装置での印字を行うことは紙等の無駄となる。
【００１４】
　また、マンマシン操作について、軸定検時の操作はコンバインドサイクルプラントの定例の操作であり、よりよい操作性が求められている。この場合、定検中の軸のデータをすべて一括で抑止したい場合と、一部の情報は参照したい場合とがある。
【００１５】
　また、マンマシン操作について、軸定検時の操作はコンバインドサイクルプラントの定例の操作であり、よりよい操作性が求められている。上記のような、処理を行った場合、どの機能を抑制しているか、運転員に即座に判るようにする必要がある。ＣＲＴ上に機能を抑止していることを機能毎に区分して表示する。
【００１６】
　そこで、本発明では、従来の発電プラント監視制御装置における前記のような問題点を下記より解決することを目的とする。
【００１７】
　まず、定検中の試験操作により発生する音声出力要求と、通常運転中に発生する音声出力要求を区別し、定検中の軸より発生する音声出力要求を除外し、大量の音声出力要求がかかることにより起こる必要な音声の出力遅れを緩和することを可能とすることを目的とする。
【００１８】
　また、通常運転中と定検中の軸とを区別し、不要なデータ収集を抑制することにより計算機負荷を下げ、通常運転軸の緊急時の監視操作への影響を押さえ、かつ、余分なタイパ印字も抑止することを可能とすることも目的とする。
【００１９】
　また、定検中の軸の指定がされていることをＣＲＴ上で表示する機能を付加することにより、抑止していることを機能毎に区分してオペレータに通知することを可能とするも目的とする。
【課題を解決するための手段】
【００２０】
　本発明は、複数台の発電ユニットを制御する計算機に接続されプラント情報を表示するとともに、対話処理を行う対話手段付表示装置を備えた発電プラント監視制御装置において、前記発電ユニット毎に通常運転中または試験調整中で出力要もしくは試験調整中で出力不要のうちいずれかの運転状態を記憶する運転状態記憶テーブルと、この運転状態記憶テーブルへ前記対話手段付表示装置を介して前記運転状態を適宜設定する運転状態選択手段と、前記発電プラントからプラント情報を取り込みプラントデータテーブルへ更新保存するデータスキャン手段と、音声出力要求があると前記運転状態記憶テーブルに記憶される運転状態を参照して前記試験調整中の場合を除外して前記プラントデータテーブルに保存されるプラント情報と音声インデックステーブルとを参照して音声検索情報を抽出する音声インデックス検索手段と、この音声インデックス検索手段により抽出される音声検索情報により音片テーブルに保存された音片情報を取り出して合成し、音声情報を音声出力装置へ出力する音声合成手段を備え、前記通常運転中の音声出力要求か試験調整中の音声出力要求かを区別して出力不要な試験調整中の音声情報を除外して出力するようにしたものである。
【００２１】
　また、複数台の発電ユニットを制御する計算機に接続されプラント情報を表示するとともに、対話処理を行う対話手段付表示装置を備えた発電プラント監視制御装置において、前記発電ユニット毎に通常運転中または試験調整中で出力要もしくは試験調整中で出力不要のうちいずれかの運転状態を記憶する運転状態記憶テーブルと、この運転状態記憶テーブルへ前記対話手段付表示装置を介して前記運転状態を適宜設定する運転状態選択手段と、前記発電プラントからプラント情報を取り込みプラントデータテーブルへ更新保存するデータスキャン手段と、前記運転状態記憶テーブルに記憶される運転状態に応じて前記プラントデータテーブルに保存されるプラント情報を通常運転中もしくは試験調整中かを区別して不要なプラント情報の出力を除外してトリップシーケンスデータテーブルへ保存するとともに、トリガを判定するトリップシーケンス判定手段へ出力するトリップシーケンス収集手段と、前記採りプシーケンス判定手段によってトリガを判定したとき前記トリップシーケンスデータテーブルから対応するプラント情報を取り出し外部へ出力するトリップシーケンス出力手段を備えたものである。
【００２２】
　また、複数台の発電ユニットを制御する計算機に接続されプラント情報を表示するとともに、対話処理を行う対話手段付表示装置を備えた発電プラント監視制御装置において、前記発電ユニット毎に通常運転中または試験調整中で出力要もしくは試験調整中で出力不要のうちいずれかの運転状態を記憶する運転状態記憶テーブルと、この運転状態記憶テーブルへ前記対話手段付表示装置を介して前記運転状態を適宜設定する運転状態選択手段と、前記発電プラントからプラント情報を取り込みプラントデータテーブルへ更新保存するデータスキャン手段と、前記運転状態記憶テーブルに記憶される運転状態と前記プラントデータテーブルに保存されるプラント情報、および、音声インデックステーブルに保存される音声情報に基づき、音声出力要求を受けて、試験調整中で出力不要の運転状態に対応する音声情報を除いた音声情報を出力する音声情報出力手段と、前記運転状態記憶テーブルに記憶される運転状態と前記プラントデータテーブルに保存されるプラント情報を監視し、トリップシーケンスの発生を検出したときに、試験調整中で出力不要の運転状態に対応するプラント情報を除外したプラント情報をトリップシーケンスデータとして出力するトリップデータ出力手段を備え、前記音声情報出力手段による音声情報出力機能と前記トリップデータ出力手段によるトリップシーケンスデータ出力機能の除外または復帰を前記対話手段付表示装置によって前記運転状態記憶テーブルに設定するようにしたものである。
【００２３】
　また、各発電ユニットに対して、前記音声情報出力機能、前記トリップシーケンスデータ出力機能と、少なくともこの２機能を一括する全機能とを対応づけて前記対話手段付表示装置へ表示選択スイッチを表示させ、前記表示選択スイッチへ機能の除外または復帰を前記運転状態記憶テーブルの内容に応じて表示させ、表示された表示選択スイッチの各スイッチを選択して押す毎に除外と復帰を反転して選択表示させる表示出力手段をさらに備え、かつ、前記運転状態選択手段により前記表示選択スイッチによる選択表示状態を前記運転状態記憶テーブルへ記憶させるようにしたものである。
【発明の効果】
【００２４】
　したがって、本発明によれば、通常運転中の音声出力要求か試験調整中の音声出力要求かを区別して不要な試験調整中の音声情報を除外するようにしたために試験調整中の多発する音声情報が除外され、必要とする音声情報の遅れを緩和し、オペレータが混乱するのを阻止できるという効果を得る。
【００２５】
　また、通常運転中若しくは試験調整中かを区別して不要なプラント情報の出力を除外するようにしたために試験調整中の多量なプラント情報によってＣＰＵ負荷が上昇するのを抑制し、通常運転中の発電ユニットの緊急時に対処でき、しかも、余分な印字出力も阻止することができるという効果も得る。
【発明を実施するための最良の形態】
【００２６】
　以下、添付図面を参照しながら、本発明の実施の形態を詳細に説明する。
【００２７】
　図１は、本発明の第１実施の形態を示す発電プラント監視制御装置の構成図であって、従来例を示す図２４と同一符号は、同一部分または相当部分を示し、図１において、制御用計算機２Ａに伝送データ１０を作成する伝送データスキャン手段１１とデータ送信手段１２とを設け、制御用計算機２Ａとデータの取り合いをする他の計算機１３に伝送路１４を介して接続し、他の計算機１３にデータ受信手段１５とデータ加工手段１６と加工データテーブル１７を設けて、他の計算機１３への伝送データ１０に運転状態のフラグを付加して伝送する点に特徴を有する。
【００２８】
　次に、本発明の第１実施の形態について、図１乃至図６を参照して具体的に説明する。
【００２９】
　まず、対話手段付表示装置３からの対話処理により機能Ｎｏ．が指定されると図２に示すように運転状態選択手段４が起動される（Ｓ１，Ｓ２）。ここでいう、機能Ｎｏ．は機能１〜機能ｎまであり、例えば、自動化音声作成機能、ＣＲＴオペレーション出力機能、ログデータ作成機能等をいうが、本発明の第１実施の形態では、他の計算機への伝送データを作成する機能をいう。
【００３０】
　運転状態選択手段４が起動されると、図３に示す如くの手順で処理が開始され、各機能と各軸とに対応して順次運転状態、すなわち、通常運転中（０１）、試験調整中を含む定検中出力必要（１０）、試験調整中を含む定検中出力不要（００）のいずれかが設定される。
【００３１】
　運転状態選択手段４の処理では、通常運転中（０１）が設定されると通常運転中（０１）の運転状態を取込む（Ｓ１１，Ｓ１２）。また、通常運転中（０１）でない設定がされると、定検中出力必要（１０）の運転状態を取込む（Ｓ１１，Ｓ１３，Ｓ１４）。また、定検中出力不要（００）が設定されるとその定検中出力不要（００）を取込む（Ｓ１１，Ｓ１３，Ｓ１５）。
【００３２】
　次に、何軸の運転状態が設定されたかを判定し、図４に示す如くの運転状態記憶テーブル５の対応エリア、つまり、設定された軸と機能に対応するエリアへ運転状態を順次記憶する（Ｓ１６，Ｓ１７）。
【００３３】
　図４に示す運転状態記憶テーブル５は、１軸〜４軸，共通と、機能１〜機能ｎとに対してそれぞれ運転状態（００），（０１），（１０）を記憶するように構成されている。例えば、３軸の機能１は、通常運転中となっていたとする。ここで、３軸の機能１に関するデータを他と区別して他の計算機１３へ送る場合には、対話手段付表示装置３から図２と図３の運転状態選択手段４の処理を行い、図４に示すように（０１）から（００）に変更する。なお、図４に示す共通は、１軸〜４軸に共通する設備のデータである。
【００３４】
　一方、伝送データスキャン手段１１では、プラントデータテーブル６から伝送タイミング毎に１軸〜４軸までのデータを取込み、運転状態記憶テーブル５の内容を参照しつつ図５に示す如くの伝送データ１０を作成する。この場合、伝送データ１０の運転状態部１０ａに図４に示す運転状態記憶テーブル５の運転状態が設定されると共に、データ部１０ｂに軸、機能およびプラントデータテーブル６からの対応するデータが設定される。
【００３５】
　例えば、３軸の機能１の場合、定検中出力不要（００）が伝送データ１０の運転状態部１０ａへ設定されて他のデータと一緒にデータ送信手段１２へ渡される。データ送信手段１２から伝送路１４を介して他の計算機１３へ伝送データ１０が伝送され他の計算機１３のデータ受信手段１５からデータ加工手段１６へ渡される。
【００３６】
　他の計算機１３のデータ加工手段１６では、図６に示す処理を実行して、順次取り込んだ伝送データ１０の運転状態部１０ａを参照する（Ｓ２１，Ｓ２２）。
【００３７】
　この判定で定検中出力不要（００）の伝送データ１０のとき、データを０に置き換えて加工データテーブル１７の対応するエリアに記憶する（Ｓ２３）。一方、定検中出力必要（１０）と通常運転中（０１）の場合、データをそのまま加工データテーブル１７の対応するエリアに記憶する（Ｓ２４）。上記した処理が全伝送データについて行われる（Ｓ２５）。
【００３８】
　このように第１実施の形態によれば、運転状態記憶テーブルを参照し、他の計算機に伝送されるデータに定検中か通常運転中かのフラグを付加する機能により、他の計算機でも定検中の情報か通常運転中の軸の情報か区別でき、かつ、定検情報フラグをキーに定検中の軸の情報のみ除外したり、また、他の値に置き換えることができる。従って、多数のデータ（例えば、２千点）を手で書き換える手間を省くことができ、他の計算機の処理に影響を及ぼすことを防ぐことができる。
【００３９】
　図７は、本発明の第２実施の形態を示す発電プラント監視制御装置の構成図であって、従来例を示す図２４と同一符号は、同一部分または相当部分を示し、図７においては、制御用計算機２Ｂにログデータ収集手段２０とログデータテーブル２１とデータ加工計算手段２２と積算用データテーブル２３とログデータ出力手段２４とを設け、制御用計算機２Ｂに印字装置２５を接続して、印字装置２５へ出力される計算加工されたデータについて各軸の運転状態を識別できる一方、不要なデータを削除するようにする点に特徴を有する。
【００４０】
　次に、本発明の第２実施の形態を具体的に図７乃至図９を参照して説明する。
【００４１】
　ログデータ収集手段２０では、プラントデータテーブル６から所定周期でデータを取込み図４に示すと同様の運転状態記憶テーブル５を参照して、プラントデータに運転状態を付加して、図８に示す如くのログデータ１９を作成してログデータテーブル２１へ記憶する。図８に示すログデータ１９は、運転状態部１９ａと定検中状態部１９ｂとデータ部１９ｃからなっている。
【００４２】
　次に、まず、データ加工計算手段２２では、図９に示す処理を行い、ログデータテーブル２１から図８に示すログデータ１９を順次取込み、運転状態を判定し、通常運転中（０１）の場合、所定の計算と加工した積算データを作成し積算用データテーブル２３の前回の積算データを更新する（Ｓ３１〜Ｓ３３）。
【００４３】
　一方、運転状態が定検中で、かつ、定検中出力必要（１０）のとき、データ加工計算手段２２は、ログデータについて所定の計算と加工を行い、積算データを作成し、前回の積算データを更新する（Ｓ３４，Ｓ３５）。また、運転状態が定検中で、かつ、定検中出力不要（００）のときデータ加工計算手段２２は、ログデータを０に置き換え積算用データテーブル２３を更新する（Ｓ３４，Ｓ３６）。以上の処理は、全てのログデータについて繰返し行われる（Ｓ３７）。
【００４４】
　続いて、対話手段付表示装置３から印字要求があると、ログデータ出力手段２４が積算用データテーブル２３からデータを取出し加工して印字装置２５へ出力する一方、対話手段付表示装置３から表示要求があるとログデータ出力手段２４が積算用データテーブル２３からデータを取出し加工して対話手段付表示装置３へ表示出力する。
【００４５】
　このように第２実施の形態によれば、定検中の軸のデータが、センサ試験調整により不良となった場合でも、運転状態記憶テーブルを参照し、ログデータに定検中か通常運転中かのフラグを付加する機能により、ログ機能で定検中の情報と通常運転中の情報を区別し、不要情報を除外し、計算することができる。この結果、不要で、しかも、不良なデータを用いて計算することがなく、定検情報フラグをキーに定検中の軸の情報のみの除外や他の値に置き換えることができるため、正常な計算処理によって正確な計算結果を得ることができる。
【００４６】
　図１０は、本発明の第３実施の形態を示す発電プラント監視制御装置の構成図であって、従来例を示す図２４と同一符号は、同一部分または相当部分を示し、図１０においては、制御用計算機２Ｃにプラント操作手段３０と音声インデックス検索手段３１と音声インデックステーブル３２と音片テーブル３３と音声合成手段３４とを設け、制御用計算機２Ｃに音声出力装置３５を接続し、定検中の音声出力要求と通常運転中の音声出力要求を識別し、不要な音声情報を抑制する点に特徴を有する。
【００４７】
　次に、第３実施の形態を図１０乃至図１５を参照して具体的に説明する。
【００４８】
　まず、音声インデックス検索手段３１では、プラントを操作するプラント操作手段３０から大型補機の起動／停止やプラントの起動／停止のブレークポイント等に音声処理要求を受け付ける。音声インデックス検索手段３１は、音声処理要求があると図１１に示す処理を行い、まず、音声要求の機能Ｎｏ．を取込んで、運転状態記憶テーブル５から機能Ｎｏ．に対応する運転状態を取込む（Ｓ４１，Ｓ４２）。そして、図１２に示す音声インデックス検索処理に移行する（Ｓ４３）。
【００４９】
　図１２に示す１軸〜４軸について説明すると、軸が指定され、１軸であれば、運転状態の判定がされる（Ｓ５１〜Ｓ５３）。この判定で通常運転中（０１）であれば、音声インデックステーブル３２を検索し、音声インデックスを抽出し、定検中出力不要（００）であれば、図１３に示す音声インデックステーブル３２を検索しないで終了する（Ｓ５３，Ｓ５４，Ｓ５５）。
【００５０】
　また、２軸が指定されていれば、運転状態の判定がされ、通常運転中（０１）ならば、音声インデックステーブル３２を検索し、定検中出力不要（００）のとき、音声インデックステーブル３２を検索しないで終了する（Ｓ５６〜Ｓ５９）。同様にして、ｎ軸が指定されれば処理がされる（Ｓ６０〜Ｓ６３）。
【００５１】
　図１２に示す処理で図１３に示す音声インデックステーブル３２から音片インデックスが抽出され、音片Ｎｏ．が抽出されると図１４に示す音片テーブル３３から対応する音片内容が取出され、音声合成手段３４によって合成して音声出力データを作成する。この結果、音声出力装置３５から音声情報が出力される。
【００５２】
　例えば、図１５に示すように、今、３軸が定検中で、プラント操作手段３０による操作端試験の期間が重なり、試験操作による音声要求が多発している場合で、１軸では通常通り起動操作が行われそれに伴う音声出力要求が発生している状態を表している。要求ａ，ｂ，ｃ，ｆは定検中の３軸からの音声出力要求、ｄ，ｅは通常運転の１軸からの音声出力要求を表す。また、音声ａ，ｂ，ｃ，ｄ’，ｅ’，ｆそれぞれの要求による音声を表す。音声出力は、要求順に前に要求された音声出力終了後、音声出力装置３５から行われる。音声要求が多発した場合、図に示すように音声出力が要求されてから実際に出力されるまでに時間差が生じる。このため、実際に監視する必要のある音声以外の音声要求は抑止する必要がある。
【００５３】
　対話手段付表示装置３により、例えば、３軸の自動化音声出力機能を抑止する指定をする。抑止する指定を受けると、運転状態記憶テーブル５の機能番号３エリアの３軸に定検中出力不要（００）が記憶される。音声要求が運転状態記憶テーブル５の運転状態が、定検中出力不要の軸（ここでは３軸）の操作からの場合、音声インデックス検索手段３１は、音声インデックステーブル３２の検索をしない。運転状態記憶テーブル５の運転状態が、通常運転中（０１）の軸の場合は図１３の音声インデックステーブル３２から仕様音片Ｎｏ．を検索し図１４の音片テーブル３３より音片を拾い出し、音声合成手段３４にて音声出力データを合成し、音声出力装置３５より音声を出力する。
【００５４】
　上記抑止操作により、図１５の音声出力要求ａ，ｂ，ｃ，ｆは抑止され、要求ｄ，ｅによる音声出力は音声ｄ’，ｅ’のように遅れは阻止される。
【００５５】
　このように第３実施の形態によれば、定検中の軸から発生する音声出力要求を抑止することにより、通常運転の軸からの音声通報の遅れを防止することができる。
【００５６】
　図１６は、本発明の第４実施の形態を示す発電プラント監視制御装置の構成図であって、従来例を示す図２４と同一符号は、同一部分または相当部分を示し、図１６においては、制御用計算機２Ｄにトリップシーケンス収集手段４０とトリップシーケンス判定手段４１とトリップシーケンスデータテーブル４２とトリップシーケンス出力手段４３とを設け、制御用計算機２Ｄに印字装置４４を接続し、通常運転中と定検中とを識別して不要なトリップシーケンスデータの出力を阻止する点に特徴を有する。
【００５７】
　次に、本発明の第４実施の形態を具体的に図１６乃至図１８を参照して説明する。
【００５８】
　まず、トリップシーケンス収集手段４０では、運転状態記憶テーブル５を参照して図１７に示す処理を実行し、１軸の指定があると運転状態の判定がされ、通常運転中（０１）のとき、プラントデータテーブル６から所定周期でトリップシーケンスデータを収集してトリップシーケンスデータテーブル４２へ記憶し、定検中出力不要（００）のときプラントデータテーブル６からトリップシーケンスデータを収集しない（Ｓ７１〜Ｓ７５）。
【００５９】
　次に、２軸について指定があると、運転状態の判定がされ、通常運転中（０１）のときプラントデータテーブル６から所定周期でトリップシーケンスデータを収集してトリップシーケンスデータテーブル４２へ記憶し、定検中出力不要（００）のときプラントデータテーブル６からトリップシーケンスデータを収集しない（Ｓ７１，Ｓ７２，Ｓ７６〜Ｓ７９）。
【００６０】
　同様にｎ軸について指定がある運転状態の判定がされ、運転状態の通常運転中（０１）のとき、プラントデータテーブル６からトリップシーケンスデータを収集してトリップシーケンスデータテーブル４２へ記憶し、定検中出力不要（００）のときプラントデータテーブル６からトリップシーケンスデータの収集をしない（Ｓ８０〜Ｓ８３）。
【００６１】
　トリップシーケンスデータテーブル４２では、トリガ点を把えるとトリップシーケンス出力手段４３へ通知し、トリップシーケンスデータテーブル４２からトリップシーケンスデータを取込んで印字装置４４へ出力する。
【００６２】
　例えば、図１８に示す上段のように、１軸が定検中のとき、プラント入力等の模擬操作により、時刻ｔ１〜時刻ｔ４にかけて、不要なトリップシーケンスが次々に出力された場合、図の下段に示すようにＣＰＵ負荷があり時刻ｔ４までにｍａｘ値に近づき計算機の処理が遅くなる。この場合に、通常運転中（０１）の４軸のトリップシーケンスが発生すると時刻ｔ４にＣＰＵの負荷ｍａｘ値を越え（図示斜線）緊急時の処理に影響をおよぼす。
【００６３】
　このような場合に、１軸が定検中で１軸のトリップシーケンスの監視を抑止するために、対話手段付表示装置３より、１軸のトリップシーケンス機能（機能１とする）を抑止する指定をする。抑止する指定を受けると、運転状態記憶テーブル５の機能番号１エリアの１軸に定検中出力不要（００）が記憶される。
【００６４】
　これにより、トリップシーケンス収集手段４０では、運転状態記憶テーブル５を参照しステータスが、００：定検中出力不要の軸（ここでは１軸）のトリガ接点および監視用接点を除外する。トリップシーケンス収集手段４０では、除外した以外の軸について一定周期にプラントデータテーブル６より収集し、トリップシーケンスデータテーブル４２に一定量記憶すると共に、トリップシーケンス判定手段４１にてトリガ点の変化をとらえ、トリップシーケンス出力手段４３により収集した接点変化状態を印字装置４４および対話手段付表示装置３へ出力する。上記操作により、定検軸を除外して図１８の線ａまたは線ｂのＣＰＵ負荷が押さえられる。
【００６５】
　このように本発明の第４実施の形態によれば、運転状態記憶テーブルを参照し、監視不要な定検中の軸のトリップシーケンスの収集を除外する手段により、不要なトリップシーケンスの発生における計算機の負荷の増加を防止し、通常の運転軸の緊急時の操作を妨げることを防ぎ、また、不要な印字を防ぎデータの解析時間や印字用紙を削減することができる。
【００６６】
　図１９は、本発明の第５実施の形態を示す発電プラント監視制御装置の構成図であって、図１９は、制御用計算機２Ｅにデータ伝送手段５０とトリップシーケンス手段５１とプラント操作手段５２とを伝送路５３に接続すると共に、外部に設ける印字装置２５と音声出力装置３５と対話手段付表示装置３Ｅに接続して各軸の各機能について運転状態を設定する際に、各軸についてまたは各機能について設定できるようにする点に特徴を有する。
【００６７】
　詳細に説明すると、本発明の第５実施の形態は、図１と図７と図１０と図１６に示す第１実施の形態から第４実施の形態の識別伝送データ作成機能とログデータ作成機能と音声データ作成機能とトリップデータ作成機能を備え、これらの各機能処理のとき、通常運転中と定検中とを識別し、不要データを除外させる一方、必要となったデータを復帰させるようにしている。
【００６８】
　ここで、運転状態記憶テーブル５は、発電ユニット毎に運転状態として、識別伝送データ作成機能とログデータ作成機能と音声データ作成機能とトリップデータ作成機能のそれぞれの機能の復帰または除外を設定可能とするように構成している。また、運転状態選択手段４は、それぞれの機能の復帰または除外を対話処理によって個別あるいは一括して運転状態記憶テーブル５へ設定できるようになっている。
【００６９】
　この構成により、対話手段付表示装置３Ｅに、例えば、図２０に示す定検軸保守画面１００が表示される。この画面１００には、１軸〜４軸共通に対して、１・トリップシーケンス印字、２・自動化メッセージ表示出力等の各機能が表示され、下段に、８・全機能除外、９・全機能復帰が表示されている。
【００７０】
　上記画面１００上、１〜７の番号に抑止対象の機能を割り付ける。機能毎に個別に除外／復帰させてい場合は、各機能名と軸番号や設備名称が交わるエリアを選択すると、図２１のように、エリアを選択する度に除外→復帰→除外と、後優先で切替わる。１〜７の機能を一括で除外する場合は、「８・全機能除外」と該当軸の交わるエリアを選択する。復帰する場合は、「９・全機能復帰」と該当軸の交わるエリアを選択する。若しくは、画面１００下の３つの（）内に、機能番号、軸番号、除外：０／復帰：１をそれぞれ入力する。
【００７１】
　これにより、運転状態記憶テーブル５に運転状態が設定される。
【００７２】
　以上の処理により設定された運転状態記憶テーブル５を読込み、各機能手段の除外処理を行う。
【００７３】
　このように第５実施の形態によれば、定検中における各機能からのデータの印字や表示を除外することを機能毎で行うほか、一括で行える対話（機能）を付加することで運転員の定例操作の操作性を向上させることができる。
【００７４】
　図２２は、本発明の第６実施の形態を示す発電プラント監視制御装置の構成図であって、図２２は、対話手段付表示装置３と運転状態選択手段４と運転状態記憶テーブル５と表示出力手段６０とから構成し、各発電ユニット毎に除外されている発電ユニットと識別して表示出力する点に特徴を有する。
【００７５】
　ここで、発電ユニットに対して各機能と各機能を一括する全機能とを対応づけて表示選択スイッチによる対話手段付表示装置３へ表示させ、表示選択スイッチの除外または復帰を運転状態記憶テーブル５の内容によって表示し、これら表示選択スイッチを選択して押す毎に除外と復帰とを反転して選択表示させる。運転状態選択手段４は、表示選択スイッチによる選択表示状態を前記運転状態記憶テーブル５へ記憶させる。この手段により、対話手段付表示装置３に図２０に示すような画面１００や画面１０１が表示される。この場合、対話処理により表示出力手段６０は、運転状態記憶テーブル５の内容を読込み、図２３の上段の画面１０２ａのように画面上側に各軸を表示し、定検中出力不要（００）の設定ある軸に対し、図２３に示す下段の画面１０２ｂのように判り易くＣＲＴ表示上にインジケートし除外されているデータがあることを示し運転員に通知する。
【００７６】
　例えば、１軸が定検中出力不要（００）であれば、画面１０２ｂ上に「１軸定検」と表示する。なお、詳細な除外状態を参照する場合は、図２０の画面１００を表示することで参照できる。
【００７７】
　このように第６実施の形態によれば、除外状態をオペレータに視覚的に通知することでオペレータはどの発電ユニットが抑止されているか即座に把握でき、除外からの復帰させることを忘れないようにする。
【図面の簡単な説明】
【００７８】
【図１】本発明の本発明の第１実施の形態を示す発電プラント監視制御装置の構成図である。
【図２】図１に備える運転状態選択手段の第１の処理手順を示すフローチャートである。
【図３】図１に備える運転状態選択手段の第２の処理手順を示すフローチャートである。
【図４】図１に備える運転状態記憶テーブルの内容を示す説明図である。
【図５】図１に備える伝送データを示すフォーマットである。
【図６】図１に備えるデータ加工手段の処理を示すフローチャートである。
【図７】本発明の本発明の第２実施の形態を示す発電プラント監視制御装置の構成図である。
【図８】図７に備えるログデータ収集手段によって作成するログデータを示すフォーマットである。
【図９】図７に備えるデータ加工計算手段の処理を示すフローチャートである。
【図１０】本発明の本発明の第３実施の形態を示す発電プラント監視制御装置の構成図である。
【図１１】図１０に備える音声インデックス検索手段の第１の処理手順を示すフローチャートである。
【図１２】図１０に備える音声インデックス検索手段の第２の処理手順を示すフローチャートである。
【図１３】図１０に備える音声インデックステーブルの内容を示す説明図である。
【図１４】図１０に備える音片テーブルの内容を示す説明図である。
【図１５】音声出力要求と音声出力時間の関係を示すタイムチャートである。
【図１６】本発明の本発明の第４実施の形態を示す発電プラント監視制御装置の構成図である。
【図１７】図１６に備えるトリップシーケンス収集手段の処理手順を示すフローチャートである。
【図１８】トリップシーケンス発生とＣＰＵ負荷の遷移図である。
【図１９】本発明の本発明の第５実施の形態を示す発電プラント監視制御装置の構成図である。
【図２０】図１９に備える対話手段付表示装置に表示される第１の画面例である。
【図２１】図１９に備える対話手段付表示装置に表示される第２の画面例である。
【図２２】本発明の本発明の第６実施の形態を示す発電プラント監視制御装置の構成図である。
【図２３】図２２に備える対話手段付表示装置に表示される画面例である。
【図２４】従来の発電プラント監視制御装置を示す構成図である。
【符号の説明】
【００７９】
　１　複合発電ユニット
　２　制御用計算機
　３　対話手段付表示装置
　４　運転状態選択手段
　５　運転状態記憶テーブル
　６　プラントデータテーブル
　７　データスキャン手段
　８　プラント制御手段
　９　表示出力手段
　１１　伝送データスキャン手段
　１２　データ送信手段
　１３　他の計算機
　１５　データ受信手段
　１６　データ加工手段
　１７　加工データテーブル
　２０　ログデータ収集手段
　２１　ログデータテーブル
　２２　データ加工計算手段
　２３　積算用データテーブル
　２４　ログデータ出力手段
　２５，４４　印字装置
　３０，５２　プラント操作手段
　３１　音声インデックス検索手段
　３２　音声インデックステーブル
　３３　音片テーブル
　３４　音声合成手段
　３５　音声出力装置
　４０　トリップシーケンス収集手段
　４１　トリップシーケンス判定手段
　４２　トリップシーケンスデータテーブル
　４３　トリップシーケンス出力手段
　５０　データ伝送手段
　５１　トリップシーケンス手段
　６０　表示出力手段
【図１】
2004080997.tif 000003
【図２】
2004080997.tif 000004
【図３】
2004080997.tif 000005
【図４】
2004080997.tif 000006
【図５】
2004080997.tif 000007
【図６】
2004080997.tif 000008
【図７】
2004080997.tif 000009
【図８】
2004080997.tif 000010
【図９】
2004080997.tif 000011
【図１０】
2004080997.tif 000012
【図１１】
2004080997.tif 000013
【図１２】
2004080997.tif 000014
【図１３】
2004080997.tif 000015
【図１４】
2004080997.tif 000016
【図１５】
2004080997.tif 000017
【図１６】
2004080997.tif 000018
【図１７】
2004080997.tif 000019
【図１８】
2004080997.tif 000020
【図１９】
2004080997.tif 000021
【図２０】
2004080997.tif 000022
【図２１】
2004080997.tif 000023
【図２２】
2004080997.tif 000024
【図２３】
2004080997.tif 000025
【図２４】
2004080997.tif 000026